(57)【要約】本発明にかかる移動局は、スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局であって、制御部２６が、Ｓｔｅｐ１制御の結果として得られる既知パターンの受信レベルが所定のスロットタイミング検出用しきい値を超えている場合、予め規定された所定時間が経過するまで、または、Ｓｔｅｐ１制御の繰り返し回数が所定回数に達するまで、前記Ｓｔｅｐ１、Ｓｔｅｐ２、Ｓｔｅｐ３を繰り返し実行させるための制御を行い、さらに、前記繰り返し実行させる処理の少なくとも１組のＳｔｅｐ１、Ｓｔｅｐ２、Ｓｔｅｐ３を、検出精度を落として時間短縮動作にて実行させる制御を行う。
2005029894.tif 000002
【特許請求の範囲】
【請求項１】
スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局において、
Ｓｔｅｐ１制御の結果として得られる既知パターンの受信レベルが所定のスロットタイミング検出用しきい値を超えている場合、予め規定された所定時間が経過するまで、または、Ｓｔｅｐ１制御の繰り返し回数が所定回数に達するまで、前記Ｓｔｅｐ１、Ｓｔｅｐ２、Ｓｔｅｐ３を繰り返し実行させるための制御を行う制御手段、
を備え、
前記制御手段は、前記繰り返し実行させる処理の少なくとも１組のＳｔｅｐ１、Ｓｔｅｐ２、Ｓｔｅｐ３を、検出精度を落として時間短縮動作にて実行させることを特徴とする移動局。
【請求項２】
スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局において、
在圏している基地局の共通パイロットチャネルまたは個別チャネルの受信レベルが所定のしきい値よりも高い場合に、予め規定された所定時間内で、検出精度を落として前記Ｓｔｅｐ１、Ｓｔｅｐ２、Ｓｔｅｐ３の処理時間を短縮する時間短縮動作の回数を増やす制御を行い、一方、前記受信レベルが前記しきい値に達していない場合に、前記所定時間内で、前記時間短縮動作の回数を減らす制御を行う制御手段、
を備えることを特徴とする移動局。
【請求項３】
スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局において、
Ｓｔｅｐ１制御の結果として得られる既知パターンの受信レベルが所定のスロットタイミング検出用しきい値を超えている場合、予め規定された所定時間が経過するまで、または、Ｓｔｅｐ１制御の繰り返し回数が所定回数に達するまで、前記Ｓｔｅｐ１、Ｓｔｅｐ２、Ｓｔｅｐ３を繰り返し実行させるための制御を行う制御手段、
を備え、
前記制御手段は、在圏している基地局の共通パイロットチャネルまたは個別チャネルの受信レベルが所定のしきい値よりも高い場合に、前記Ｓｔｅｐ１、Ｓｔｅｐ２、Ｓｔｅｐ３の繰り返し回数を増やす制御を行い、一方、前記受信レベルが前記しきい値に達していない場合に、前記Ｓｔｅｐ１、Ｓｔｅｐ２、Ｓｔｅｐ３の繰り返し回数を減らす制御を行うことを特徴とする移動局。
【請求項４】
スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局において、
在圏している基地局の共通パイロットチャネルまたは個別チャネルの受信レベルが所定のしきい値よりも高い場合に、前記Ｓｔｅｐ１、Ｓｔｅｐ２、Ｓｔｅｐ３にて用いる各判定用しきい値を、それぞれの基準しきい値よりも高く設定する制御を行い、一方、前記受信レベルが前記所定のしきい値に達していない場合に、前記各判定用しきい値をそれぞれの基準しきい値よりも低く設定する制御を行う制御手段、
を備えることを特徴とする移動局。
【請求項５】
スロットタイミングを検出する処理（Ｓｔｅｐ１）、直接波やマルチパス波の受信タイミングおよび受信レベルを検出するパスサーチ処理、を同時に実行する移動局において、
前記パスサーチ処理により得られる検出タイミングと前記Ｓｔｅｐ１により得られる検出タイミングとの比較結果が予め規定された誤差の範囲内であった場合、前記パスサーチ処理により得られる検出タイミングに基づいて、前記Ｓｔｅｐ１により得られる相関平均値を補正する制御手段、
を備えることを特徴とする移動局。
【発明の詳細な説明】
【技術分野】  この発明は、移動体無線通信で用いられる移動局に関するものであり、詳細には、電源投入後およびハンドオーバ時に基地局を検索する移動局に関するものである。
【背景技術】  以下、従来の移動局において実施される基地局検索処理について説明する。従来の移動局においては、たとえば、既に所定の回線品質以上の基地局を所定本数以上検出している場合、実行中の周辺基地局検出処理を中断する。これにより、移動局の消費電力を低減している。
ここで、従来の移動局の処理を具体的に説明する（下記特許文献１参照）。なお、ここでは、従来の移動局が、たとえば、とまり木チャネル検出判定部と、とまり木チャネル検出実行部と、測定部と、を備えている場合について説明する。
まず、上記とまり木チャネル検出判定部が、とまり木チャネルを検出するか否かを判定する。そして、とまり木チャネル検出実行部が、とまり木チャネル検出部判定部からの指示によりとまり木チャネルを検出し、その検出結果をとまり木チャネル検出部判定部に報告する。また、測定部が、とまり木チャネル検出判定部の指示により下り信号を測定し、その測定により得られるレベル，電力量対干渉比等をとまり木チャネル検出判定部に報告する。
【特許文献１】    特開２００１−１８６５６１号公報（４〜５ページ，図２）
しかしながら、前述した文献に記載された従来の移動局においては、消費電力を一定レベルまでは低減できるものの、無駄なセルサーチ（＝周辺基地局検出）を実行している時間が多いので、所望の消費電力低減効果が得られない、という問題があった。すなわち、回線品質が良好な場合には、たとえば、周辺セルサーチ自体の検出精度を落とす（＝動作率を下げる）ことによって、受信レベルが良好な基地局だけを検出できるが、上記基地局検索処理では、受信レベルによって動作率を変更することなくセルサーチを行っているため、移動局の消費電力低減効果が少なかった。
本発明は、上記に鑑みてなされたものであって、さらなる消費電力の低減を実現可能な移動局を提供することを目的としている。
【発明の開示】
本発明にかかる移動局にあっては、スロットタイミングを検出する処理（Ｓｔｅｐ１）、フレームタイミングを検出する処理（Ｓｔｅｐ２）、基地局のロングコードを同定する処理（Ｓｔｅｐ３）、を含む周辺セルサーチを実行する移動局であって、たとえば、Ｓｔｅｐ１制御の結果として得られる既知パターンの受信レベルが所定のスロットタイミング検出用しきい値を超えている場合、予め規定された所定時間が経過するまで、または、Ｓｔｅｐ１制御の繰り返し回数が所定回数に達するまで、前記Ｓｔｅｐ１、Ｓｔｅｐ２、Ｓｔｅｐ３を繰り返し実行させるための制御を行う制御手段、を備え、前記制御手段は、前記繰り返し実行させる処理の少なくとも１組のＳｔｅｐ１、Ｓｔｅｐ２、Ｓｔｅｐ３を、検出精度を落として時間短縮動作にて実行させることを特徴とする。
この発明によれば、たとえば、Ｓｔｅｐ１の制御を監視するタイマに設定された時間、すなわち、当該時間で実行可能なＳｔｅｐ１の繰り返し回数に基づいて、周辺セルサーチの処理時間を短縮する。
【図面の簡単な説明】  第１図は、本発明にかかる移動局を含む移動体通信システムの一構成例を示す図であり、第２図は、本発明にかかる移動局の構成を示す図であり、第３図は、実施の形態１の基地局検索処理を示すフローチャートであり、第４図は、Ｓｔｅｐ１制御を継続する場合の動作を示す図であり、第５図は、実施の形態２の基地局検索処理を示すフローチャートであり、第６図は、実施の形態３の基地局検索処理を示すフローチャートであり、第７図は、実施の形態４の基地局検索処理を示すフローチャートであり、第８図は、実施の形態５の基地局検索処理を示すフローチャートであり、第９図は、パスサーチにより得られる検出タイミングとＳｔｅｐ１により得られる検出タイミングを示す図であり、第１０図は、Ｓｔｅｐ１相関平均値の補正処理を示す図である。
【発明を実施するための最良の形態】  本発明をより詳細に説術するために、添付の図面に従ってこれを説明する。
第１図は、本発明にかかる移動局を含む移動体通信システムの一構成例を示す図であり、複数の基地局を検索可能な移動局１と、移動局から見て受信レベルが十分に大きい基地局２ａ〜２ｄと、移動局から見て受信レベルが小さい基地局３ａ〜３ｈと、を備える。第１図は、移動局１が、たとえば、基地局２ａと通信を行っており、十分に受信レベルが大きい状態を示している。
第２図は、本発明にかかる移動局１の構成を示す図であり、この移動局１は、アンテナ２１と、アンテナ２１で受信した信号をベースバンド信号に復調し、ＡＧＣ（Ａｕｔｏ  Ｇａｉｎ  Ｃｏｎｔｒｏｌ）を実行して適切な受信レベルに変換する周波数制御部２２と、基地局のスロットタイミングを検出するためのセルサーチＳｔｅｐ１を実行するＳｔｅｐ１実行部２３ａと、基地局のフレームタイミングを検出するためのセルサーチＳｔｅｐ２を実行するＳｔｅｐ２実行部２３ｂと、基地局のロングコードを同定するためのセルサーチＳｔｅｐ３を実行するＳｔｅｐ３実行部２３ｃと、基地局から直接到来する直接波や、受信波が複数の地物に反射して到来するマルチパス波、の受信タイミングと受信レベルを検出するパスサーチ実行部２４と、所望の基地局から送信されてくる物理チャネルの信号を復調するＲＡＫＥ受信実行部２５と、周波数制御部２２，Ｓｔｅｐ１実行部２３ａ，Ｓｔｅｐ２実行部２３ｂ，Ｓｔｅｐ３実行部２３ｃ，パスサーチ実行部２４，ＲＡＫＥ受信実行部２５を制御する制御部２６と、を備える。
つづいて、本実施の形態の基地局検索処理を、図面を用いて詳細に説明する。第３図は、実施の形態１の基地局検索処理（制御部２６の制御）を示すフローチャートであり、特に、Ｓｔｅｐ１実行部２３ａ，Ｓｔｅｐ２実行部２３ｂ，Ｓｔｅｐ３実行部２３ｃに対する制御を示す図である。なお、周辺基地局検索（以下セルサーチ）の実施時には、制御部２６が、すでに基地局を検索するための周波数を周波数制御部２２に通知しており、所望の周波数を、アンテナ２１を介して受信できる状態になっている。
制御部２６では、セルサーチ実行時に、まず、Ｓｔｅｐ１実行部２３ａを制御し、スロットタイミングを同定する（第１図、ステップＳ１）。このとき、Ｓｔｅｐ１実行部２３ａでは、スロットタイミングを同定するために、基地局から送られてくる既知のパターンに対して相関検出を行う。
つぎに、制御部２６では、Ｓｔｅｐ１実行部２３ａから報告される相関検出結果と、周波数制御部２２において検出されるＡＧＣゲインと、から既知パターンの受信レベルを求め、当該受信レベルを予め規定された所定のＳｔｅｐ１しきい値を用いて判定する（ステップＳ２）。たとえば、既知パターンの受信レベルがＳｔｅｐ１しきい値を超えている場合（ステップＳ２，ＯＫ）、制御部２６では、Ｓｔｅｐ１制御を監視するためのタイマを確認し（ステップＳ３）、タイムアウトでなければ（ステップＳ３，ＯＫ）、Ｓｔｅｐ１制御を継続する。一方で、既知パターンの受信レベルがＳｔｅｐ１しきい値に達していない場合や（ステップＳ２，ＮＧ）、上記タイマ監視でタイマアウトと判定された場合は（ステップＳ３，Ｔｉｍｅｒ  ｏｕｔ）、Ｓｔｅｐ１制御を中止する。なお、本実施の形態においては、上記Ｓｔｅｐ１制御の監視にタイマを用いているが、これに限らず、Ｓｔｅｐ１制御の回数をカウントすることで、Ｓｔｅｐ１制御を監視することとしてもよい。
ここで、上記Ｓｔｅｐ１制御を継続する場合の動作を、図面を用いて具体的に説明する。第４図は、Ｓｔｅｐ１制御を継続する場合の動作を示す図である。本実施の形態においては、予めタイマに設定しておいた時間、すなわち、当該時間で実行可能なＳｔｅｐ１の繰り返し回数に基づいて、少なくとも１組のＳｔｅｐ１，Ｓｔｅｐ２，Ｓｔｅｐ３を、時間短縮動作で実行する。たとえば、第４図に示すように、Ｓｔｅｐ１の繰り返し回数が５回の場合、最初の２回のＳｔｅｐ１，Ｓｔｅｐ２，Ｓｔｅｐ３については周辺セルサーチの検出精度を落として（＝動作率を下げて）処理時間を短縮し（第４図、時間短縮動作参照）、残りの３回のＳｔｅｐ１，Ｓｔｅｐ２，Ｓｔｅｐ３については通常の動作時間および検出精度で（第４図、通常動作参照）周辺セルサーチを実行する。そして、最初の２回の周辺セルサーチで、受信レベルの強い基地局を高速に検出し、さらに、残りの３回の周辺セルサーチでは、受信レベルの弱い基地局を高精度に検出する。これにより、移動局における周辺セルサーチにかかる処理時間を短縮できるので、伴って移動局における消費電力を低減させることができる。
一方で、ステップＳ２の処理において、既知パターンの受信レベルがＳｔｅｐ１しきい値を超えている場合（ステップＳ２，ＯＫ）、制御部２６では、Ｓｔｅｐ１実行部２３ａにて検出したスロットタイミングをＳｔｅｐ２実行部２３ｂへ通知する（ステップＳ４）。その後、Ｓｔｅｐ２実行部２３ｂでは、基地局から送られてくるスロット毎に異なる既知のパターンに対して相関検出を行い、フレームの先頭タイミングを検出する。
つぎに、制御部２６では、Ｓｔｅｐ２実行部２３ｂから報告される相関検出結果と、周波数制御部２２にて検出されるＡＧＣゲインと、から既知パターンの受信レベルを求め、当該受信レベルを予め規定された所定のＳｔｅｐ２しきい値を用いて判定する（ステップＳ５）。たとえば、既知パターンの受信レベルがＳｔｅｐ２しきい値を超えている場合（ステップＳ５，ＯＫ）、制御部２６では、判定結果として検出したフレームタイミングをＳｔｅｐ３実行部２３ｃへ通知する（ステップＳ６）。そして、Ｓｔｅｐ３実行部２３ｃでは、基地局からフレーム毎に送られてくる既知のパターンに対して相関検出を行い、基地局コードを同定する。なお、既知パターンの受信レベルがＳｔｅｐ２しきい値に達していない場合は（ステップＳ５，ＮＧ）、Ｓｔｅｐ２の制御を終了する。
つぎに、制御部２６では、Ｓｔｅｐ３実行部２３ｃから報告される相関検出結果と、周波数制御部２２にて検出されるＡＧＣゲインと、から既知パターンの受信レベルを求め、当該受信レベルを予め規定された所定のＳｔｅｐ３しきい値を用いて判定する（ステップＳ７）。たとえば、既知パターンの受信レベルがＳｔｅｐ３しきい値を超えている場合（ステップＳ７，ＯＫ）、制御部２６では、Ｓｔｅｐ３実行部２３ｃから報告された基地局コードを採用する（ステップＳ８）。一方で、既知パターンの受信レベルがＳｔｅｐ３しきい値に達していない場合は（ステップＳ７，ＮＧ）、Ｓｔｅｐ３実行部２３ｃから報告された基地局コードを破棄し、Ｓｔｅｐ３の制御を終了する。
このように、本実施の形態では、Ｓｔｅｐ１の制御を監視するタイマに設定された時間、すなわち、当該時間で実行可能なＳｔｅｐ１の繰り返し回数に基づいて、周辺セルサーチの処理時間を短縮することとした。これにより、移動局における消費電力を大幅に低減させることができる。
つぎに、実施の形態２の基地局検索処理を、図面を用いて詳細に説明する。第５図は、実施の形態２の基地局検索処理（制御部２６の制御）を示すフローチャートであり、ここでは、周波数制御部２２，パスサーチ実行部２４，ＲＡＫＥ受信実行部２５を利用して低消費電力化を実現する。なお、移動局の構成ついては、先に説明した実施の形態１の第２図と同様である。また、制御部２６の基本的な処理（ステップＳ１〜Ｓ８）についても、先に説明した実施の形態１の第３図と同様である。
制御部２６では、周波数制御部２２とパスサーチ実行部２４を制御することによって在圏している基地局の共通パイロットチャネルの受信レベルをモニタすることができる。また、周波数制御部２２とＲＡＫＥ受信実行部２５を制御することによって個別チャネルの受信レベルをモニタすることができる。本実施の形態では、これらのモニタ結果を利用して、さらなる低消費電力化を図る。
たとえば、共通パイロットチャネルまたは個別チャネルの受信レベルが十分に高い場合は、他の基地局へ切り替える（ハンドオーバ）確率が低いと判断できるので、周辺基地局を多く検出しておく必要がない。そこで、制御部２６では、個別チャネルまたは共通パイロットチャネルの受信レベルを取得し（第５図、ステップＳ１１）、在圏基地局の受信レベルを判定し（ステップＳ１２）、たとえば、在圏基地局の受信レベルが十分に高い場合（しきい値判定等）は（ステップＳ１２，ＯＫ）、周辺セルサーチ（Ｓｔｅｐ１，Ｓｔｅｐ２，Ｓｔｅｐ３）の検出精度を落として（＝動作率を下げて）処理時間を短くし、かつ第４図に示す時間短縮動作の回数を増やす（＝通常動作を減らす）（ステップＳ１３）。これにより、さらに移動局における消費電力を低減させることができる。一方で、在圏基地局の受信レベルが十分に高くない場合（しきい値判定等）は（ステップＳ１２，ＮＧ）、さらに周辺セルサーチ（Ｓｔｅｐ１，Ｓｔｅｐ２，Ｓｔｅｐ３）の検出精度を上げて（＝動作率を上げて）処理時間を長くとり、かつ第４図に示す時間短縮動作の回数を減らす（＝通常動作を増やす）（ステップＳ１４）。
このように、本実施の形態では、個別チャネルまたは共通パイロットチャネルの受信レベルに基づいて、周辺セルサーチの処理時間を短縮することとした。これにより、在圏基地局の受信レベルが十分に高い場合の、移動局における消費電力を低減させることができる。
つぎに、実施の形態３の基地局検索処理を、図面を用いて詳細に説明する。第６図は、実施の形態３の基地局検索処理（制御部２６の制御）を示すフローチャートであり、ここでは、実施の形態２と同様、周波数制御部２２，パスサーチ実行部２４，ＲＡＫＥ受信実行部２５を利用して低消費電力化を実現する。なお、移動局の構成ついては、先に説明した実施の形態１の第２図と同様である。また、制御部２６の基本的な処理（ステップＳ１，Ｓ２，Ｓ４〜Ｓ８）についても、先に説明した実施の形態１の第３図と同様である。ここでは、先に説明した実施の形態２と異なる動作についてのみ説明する。
まず、個別チャネルまたは共通パイロットチャネルの受信レベルを取得し（第６図、ステップＳ１１）、在圏基地局の受信レベルを判定する（ステップＳ１２）。たとえば、在圏基地局の受信レベルが十分に高い場合（しきい値判定等）は（ステップＳ１２，ＯＫ）、Ｓｔｅｐ１，Ｓｔｅｐ２，Ｓｔｅｐ３の繰り返し回数を少なくする（ステップＳ２１）。第４図に示す５回を基準とした場合、ステップＳ３におけるタイマ監視時間を短くすることによって、４回，３回，・・・のように繰り返し回数を減らしていく。これにより、セルサーチ時間を少なくすることが可能になり、移動局における消費電力を低減させることができる。一方で、在圏基地局の受信レベルが十分に高くない場合（しきい値判定等）は（ステップＳ１２，ＮＧ）、Ｓｔｅｐ１，Ｓｔｅｐ２，Ｓｔｅｐ３の繰り返し回数を多くする（ステップＳ２２）。
このように、本実施の形態では、個別チャネルまたは共通パイロットチャネルの受信レベルに基づいて、周辺セルサーチの処理時間を短縮することとした。これにより、在圏基地局の受信レベルが十分に高い場合の、移動局における消費電力を低減させることができる。
つぎに、実施の形態４の基地局検索処理を、図面を用いて詳細に説明する。第７図は、実施の形態４の基地局検索処理（制御部２６の制御）を示すフローチャートであり、ここでは、実施の形態２または３と同様、周波数制御部２２，パスサーチ実行部２４，ＲＡＫＥ受信実行部２５を利用して低消費電力化を実現する。なお、移動局の構成ついては、先に説明した実施の形態１の第２図と同様である。ここでは、先に説明した実施の形態２と異なる動作についてのみ説明する。
まず、個別チャネルまたは共通パイロットチャネルの受信レベルを取得し（第７図、ステップＳ１１）、在圏基地局の受信レベルを判定する（ステップＳ１２）。たとえば、在圏基地局の受信レベルが十分に高い場合（しきい値判定等）は（ステップＳ１２，ＯＫ）、Ｓｔｅｐ１，Ｓｔｅｐ２，Ｓｔｅｐ３の各しきい値を基準となるしきい値よりも高めに設定する（ステップＳ３１）。これにより、処理を減らすことができ、伴ってセルサーチ時間を少なくすることができるので、移動局における消費電力を低減させることができる。一方で、在圏基地局の受信レベルが十分に高くない場合（しきい値判定等）は（ステップＳ１２，ＮＧ）、Ｓｔｅｐ１，Ｓｔｅｐ２，Ｓｔｅｐ３の各しきい値を基準となるしきい値よりも低めに設定する（ステップＳ３２）。
このように、本実施の形態では、個別チャネルまたは共通パイロットチャネルの受信レベルに基づいて、周辺セルサーチの処理時間を短縮することとした。これにより、在圏基地局の受信レベルが十分に高い場合の、移動局における消費電力を低減させることができる。
つぎに、実施の形態５の基地局検索処理を、図面を用いて詳細に説明する。第８図は、実施の形態５の基地局検索処理（制御部２６の制御）を示すフローチャートであり、ここでは、Ｓｔｅｐ１実行部２３ａ，パスサーチ実行部２４を利用して低消費電力化を実現する。なお、移動局の構成ついては、先に説明した実施の形態１の第２図と同様である。
まず、制御部２６では、Ｓｔｅｐ１実行部２３ａを制御するときに、パスサーチ実行中かどうかを判断する（第１０図、ステップＳ４１）。そして、パスサーチを実行している場合は（ステップＳ４１，Ｙｅｓ）、パスサーチによって得られた検出タイミングとＳｔｅｐ１による検出タイミングが一致しているかどうかを判断する（第９図参照）（ステップＳ４２）。たとえば、一致または予め規定しておいた±ｎ（ｃｈｉｐ）以内の誤差であった場合（ステップＳ４２，Ｙｅｓ）、制御部２６では、第１０図に示すように、パスサーチ実行部２４により得られた検出タイミングに基づいて、Ｓｔｅｐ１実行部２３ａにおける既知パターンの相関結果の平均値を補正する（ステップＳ４３）。
なお、パスサーチを行っていない場合（ステップＳ４１，Ｎｏ）、またはステップＳ４２の判断で±ｎ（ｃｈｉｐ）以上の誤差があった場合（ステップＳ４２，Ｙｅｓ）は、何もしないで処理を終了する。
このように、本実施の形態においては、移動局がセルサーチＳｔｅｐ１〜Ｓｔｅｐ３とパスサーチとを同時に行っている場合に、Ｓｔｅｐ１相関平均値をパスサーチにより得られた検出タイミングに基づいて補正する。これにより、Ｓｔｅｐ１の誤検出を低減でき、セルサーチの総実行時間を短くすることができるので、移動局における消費電力を低減させることができる。
【産業上の利用可能性】  以上のように、本発明にかかる移動局は、電源投入後およびハンドオーバ時に基地局を検索する場合に有用であり、特に、回線品質が良好な場合に適している。
【図１】
2005029894.tif 000003
【図２】
2005029894.tif 000004
【図３】
2005029894.tif 000005
【図４】
2005029894.tif 000006
【図５】
2005029894.tif 000007
【図６】
2005029894.tif 000008
【図７】
2005029894.tif 000009
【図８】
2005029894.tif 000010
【図９】
2005029894.tif 000011
【図１０】
2005029894.tif 000012
【国際調査報告】
2005029894.tif 000013
2005029894.tif 000014
2005029894.tif 000015
2005029894.tif 000016